(57)【特許請求の範囲】
【請求項１】
無線部、変復調部、符号化復号化部、公衆回線網通信部、信号タイミング生成／入出力信号制御部及び中央制御部を備える携帯電話用無線基地局であって、前記無線部で受信される受信電界強度信号を受けて受信電界強度値を測定し評価する受信電界強度値測定・評価部と、前記変復調部で無線デジタル信号から復調されたベースバンドデジタル信号を受信してポストアンブル及びプリアンブルを検定するポストアンブル・プリアンブル検定部と、前記変復調部で復調された尤度を受信して尤度値を測定し評価する尤度値測定・評価部と、前記受信電界強度値測定・評価部と前記ポストアンブル・プリアンブル検定部と前記尤度値測定・評価部との情報のやり取りを行い、かつ前記信号タイミング生成／入出力信号制御部を介して前記変復調部に復調期間の調整指示を行うタイミング生成・モード検定設定部とにより構成されるＶＯＸモード検定・制御部を備えることを特徴とする携帯電話用無線基地局。
【請求項２】
ＶＯＸモード検定・制御部は、ポストアンブルの第一スロットのユニークワード及びプリアンブルの第二スロットのユニークワードを、所定のビット誤り数を許容して連続検出した後、所定のスロットを、所定のタイミングでＶＯＸモードにおける所定の復調期間に調整し、情報チャネル（ＴＣＨ）モードからＶＯＸモードへ変更することを変復調部に通知することを特徴とする請求項１記載の携帯電話用無線基地局。
【請求項３】
ＶＯＸモード検定・制御部は、ＶＯＸモードに変更された所定のスロットにおいて、所定の期間において無線部から特定の許容値以上の受信電界強度信号を受信し、その後、所定の期間において変復調部から特定の許容値以上の尤度を検出した時に前記変復調部により前記所定のスロットを所定のタイミングで所定の復調期間に補正することを特徴とする請求項１または２記載の携帯電話用無線基地局。
【請求項４】
ＶＯＸモード検定・制御部は、所定のタイミングで所定の復調期間に補正された所定のスロットにおいて、所定の期間で、プリアンブルの第一スロットのユニークワードの後半部、かつ一フレーム後のプリアンブルの第二スロットのユニークワードを、所定のビット誤り数を許容して検出した時、前記所定のスロットを所定のタイミングでＴＣＨモードにおける所定の復調期間に調整し、ＶＯＸモードからＴＣＨモードへ変更することを変復調部に通知することを特徴とする請求項１または３記載の携帯電話用無線基地局。
【請求項５】
ＶＯＸモード検定・制御部は、所定のタイミングで所定の復調期間に補正された所定のスロットにおいて、所定の期間で、プリアンブルの第一スロットのユニークワードの後半部が未検定となり、また一フレーム後のプリアンブルの第二スロットのユニークワードが未検定となった時、前記所定のスロットを所定のタイミングでＶＯＸモードにおける所定の復調期間に調整し、ＶＯＸモードを継続することを変復調部に通知することを特徴とする請求項１記載の携帯電話用無線基地局。
【発明の詳細な説明】
【０００１】
【発明の属する技術分野】
本発明は、家庭内やビル内等において利用され、ＶＯＸモードの信号フォーマットで構成されるスロットを検出し受信する機能を有する携帯電話用無線基地局に関するものである。
【０００２】
【従来の技術】
図１０は従来の携帯電話用無線基地局の構成を示している。この図１０において、携帯電話用無線基地局６１は、無線部７８、変復調部７９、符号化復号化部８０、公衆回線網（ＰＳＴＮ）通信部７４、信号タイミング生成／入出力信号制御部７５及び中央制御部７６を備える。この携帯電話用無線基地局６１と携帯電話６２とは、第１アンテナ６３及び第２アンテナ６４を通して無線デジタル信号で通信される。また、携帯電話用無線基地局６１と電話回線８１とは、信号タイミング生成／入出力制御部７５制御下の公衆回線網（ＰＳＴＮ）通信部７４を通して音声アナログ信号で通信される。
【０００３】
無線部７８は、第１アンテナ６３及び第２アンテナ６４と、第１アンテナ６３にアンテナ共用器６５を介して接続した送信部（ＴＸ）６６及び第１受信部６７（ＲＸ１）と、第２アンテナ６４に接続した第２受信部（ＲＸ２）６８とから構成される。また、変復調部７９は、信号タイミング生成／入出力信号制御部７５の制御下で、符号化された音声信号を変調して送信部６６送出する変調部６９と、信号タイミング生成／入出力信号制御部７５の制御下で、第１及び第２受信部６７、６８で受信したデジタル信号を復調する復調部７７とから構成される。また、符号化復号化部８０は、信号タイミング生成／入出力信号制御部７５により制御されるチャネルコーデック部７０、音声コーデック部７１、エコーキャンセラー部７２及びＰＣＭ変換部７３から構成される。
【０００４】
次に、フルレートの上り受信動作について、図１０、図１１、図４及び図６〜図９を参照して説明する。
【０００５】
携帯電話６２から送信される無線デジタル信号は、第１アンテナ６３及び第２アンテナ６４を通して第１及び第２受信部６７、６８で受信される。受信された無線デジタル信号は第１及び第２受信部６７、６８で所定の帯域処理及び周波数変換処理されて復調部７７に出力される。復調部７７では、２つの無線デジタル信号から、ダイバーシチに代表される手段で１つの無線デジタル信号を選択し、ベースバンド・デジタル信号に復調し、符号化復号化部８０に出力する。
【０００６】
ベースバンド・デジタル信号は、図４のａ，ｂに示すように、ＴＣＨモード時の上り通信用物理チャネルとＶＯＸモード時の上り通信用物理チャネルとの２種類が存在し、携帯電話６２が音声を検出した時は、図４のａに示すＴＣＨモード信号フォーマットを有するスロットを受信し、携帯電話６２により音声が検出されなかった時は、図４のｂに示すＶＯＸモード信号フォーマットを有するスロットを受信する。
【０００７】
携帯電話６２において、図６のａに示す音声が、図６のｂに示す２０ｍｓｅｃタイミングで３以降無音になると、図６のｃに示す符号化処理有音検出の４と５のタイミングで、図９のａとｂに示されるポストアンブル信号ＰＳＴ０のユニークワードが付加されたスロットが無線デジタル信号として連続送信され、携帯電話用無線基地局６１で受信される。受信された無線デジタル信号は、復調部７７によりベースバンド・デジタル信号に復調され、図の９ａとｂに示されるポストアンブル信号ＰＳＴ０のユニークワードの第一スロットと第二スロットとが連続的に受信された時、復調部７７はＰＳＴ０のユニークワードを検出する機能を持たず、図１１のｂに示す復調期間を持続する。
【０００８】
携帯電話６２において、図９のａとｂに示されるポストアンブル信号ＰＳＴ０のユニークワードが付加されたスロットが無線デジタル信号として連続送信され、携帯電話用無線基地局６１で受信された以降も、図７のｂに示すように図１１のａに示すＶＯＸモード時のスロットと、特定の期間毎に、図１１のｂに示すＰＳＴ０のユニークワードを有するスロットとが送信され、携帯電話用無線基地局６１で受信される。復調部７７は、図１１のａに示すＶＯＸモード時のスロット時においても、図１１のａに示すようにガードビットを含む復調期間４で復調される。
【０００９】
図８のａに示す音声が、図８のｂに示す２０ｍｓｅｃタイミング１以降有音になると、図８のｃに示す符号化処理有音検出の３と４のタイミングで、図９のｃとｄに示されるプリアンブル信号ＰＲＥのユニークワードが付加されたスロットが無線デジタル信号として連続送信され、携帯電話用無線基地局６１で受信される。受信された無線デジタル信号は、復調部７７によりベースバンド・デジタル信号に復調され、図９のｃとｄに示されるプリアンブル信号ＰＲＥのユニークワードの第一スロットと第二スロットとが連続的に受信された時、復調部７７はＰＲＥのユニークワードを検出する機能を持たず、図１１のｂに示す復調期間を持続する。
【００１０】
【発明が解決しようとする課題】
しかしながら、上記のような従来の携帯電話用無線基地局では、ＰＳＴ０ユニークワードの第一スロットと第二スロット、及びＰＲＥのユニークワードの第一スロットと第二スロットが連続的に受信された時、復調部７７がユニークワードを検出する機能を有していないため、ＰＳＴ０ユニークワードの第一スロットまたは第二スロットの検出時において、所定のタイミングで復調部の復調期間を調整することが不可能である。
【００１１】
また、受信された上り通信チャネル・スロットがＴＣＨモードの信号フォーマットを有する上り通信チャネル・スロットであるか、ＶＯＸモードの信号フォーマットを有する上り通信チャネル・スロットであるかを判断できないため、ＶＯＸモードの信号フォーマットを有する上り通信チャネル・スロットを受信したとき、ガード時間の無線デジタル信号が復調され、符号化復号化部により変化された音声アナログ信号にノイズが混入し通話品質を低下させる問題がある。
【００１２】
また、ガード時間の無線デジタル信号は、特定の周波数帯域を満足していないため、ＶＯＸモードの信号フォーマットを有する上り通信チャネル・スロットを受信したとき、ガード時間の無線デジタル信号の復調時において、検波特性を著しく低下させ、かつ復調後のベースバンドデジタル信号のＳ／Ｎ特性を低下させる問題がある。
【００１３】
本発明は、上記のような問題を解決するものであり、ＶＯＸモード信号フォーマットの上り通信チャネル・スロット受信を実現し、通話品質を向上できる携帯電話用無線基地局を提供することを目的とする。
【００１４】
【課題を解決するための手段】
上記課題を解決するために本発明の携帯電話用無線基地局は、無線部で受信される受信電界強度信号を受けて受信電界強度値を測定し評価する受信電界強度値測定・評価部と、変復調部で無線デジタル信号から復調されたベースバンドデジタル信号を受信してポストアンブル及びプリアンブルを検定するポストアンブル・プリアンブル検定部と、変復調部で復調された尤度を受信して尤度値を測定し評価する尤度値測定・評価部と、受信電界強度値測定・評価部と前記ポストアンブル・プリアンブル検定部と前記尤度値測定・評価部との情報のやり取りを行い、かつ信号タイミング生成／入出力信号制御部を介して変復調部に復調期間の調整指示を行うタイミング生成・モード検定設定部とにより構成されるＶＯＸモード検定・制御部を備えるものである。
【００１５】
本発明によれば、ＶＯＸモード信号フォーマットの上り通信チャネル・スロット受信を実現でき、通話品質を向上することができる。
【００１６】
【発明の実施の形態】
本発明の請求項１に記載の発明は、無線部、変復調部、符号化復号化部、公衆回線網通信部、信号タイミング生成／入出力信号制御部及び中央制御部を備える携帯電話用無線基地局であって、前記無線部で受信される受信電界強度信号を受けて受信電界強度値を測定し評価する受信電界強度値測定・評価部と、前記変復調部で無線デジタル信号から復調されたベースバンドデジタル信号を受信してポストアンブル及びプリアンブルを検定するポストアンブル・プリアンブル検定部と、前記変復調部で復調された尤度を受信して尤度値を測定し評価する尤度値測定・評価部と、前記受信電界強度値測定・評価部と前記ポストアンブル・プリアンブル検定部と前記尤度値測定・評価部との情報のやり取りを行い、かつ前記信号タイミング生成／入出力信号制御部を介して前記変復調部に復調期間の調整指示を行うタイミング生成・モード検定設定部とにより構成されるＶＯＸモード検定・制御部を備えるものである。
【００１７】
請求項２に記載の発明は、ＶＯＸモード検定・制御部が、ポストアンブルの第一スロットのユニークワード及びプリアンブルの第二スロットのユニークワードを、所定のビット誤り数を許容して連続検出した後、所定のスロットを、所定のタイミングでＶＯＸモードにおける所定の復調期間に調整し、情報チャネル（ＴＣＨ）モードからＶＯＸモードへ変更することを変復調部に通知することを特徴とする。
【００１８】
請求項３に記載の発明は、ＶＯＸモード検定・制御部が、ＶＯＸモードに変更された所定のスロットにおいて、所定の期間において無線部から特定の許容値以上の受信電界強度信号を受信し、その後、所定の期間において変復調部から特定の許容値以上の尤度を検出した時に前記変復調部により前記所定のスロットを所定のタイミングで所定の復調期間に補正することを特徴とする。
【００１９】
請求項４に記載の発明は、ＶＯＸモード検定・制御部が、所定のタイミングで所定の復調期間に補正された所定のスロットにおいて、所定の期間で、プリアンブルの第一スロットのユニークワードの後半部、かつ一フレーム後のプリアンブルの第二スロットのユニークワードを、所定のビット誤り数を許容して検出した時、前記所定のスロットを所定のタイミングでＴＣＨモードにおける所定の復調期間に調整し、ＶＯＸモードからＴＣＨモードへ変更することを変復調部に通知することを特徴とする。
【００２０】
請求項５に記載の発明は、ＶＯＸモード検定・制御部が、所定のタイミングで所定の復調期間に補正された所定のスロットにおいて、所定の期間で、プリアンブルの第一スロットのユニークワードの後半部が未検定となり、また一フレーム後のプリアンブルの第二スロットのユニークワードが未検定となった時、前記所定のスロットを所定のタイミングでＶＯＸモードにおける所定の復調期間に調整し、ＶＯＸモードを継続することを変復調部に通知することを特徴とする。
【００２１】
よって、現行の復調部１８の内部回路を変更せずに、ＰＳＴ０及びＰＲＥのユニークワードを検出するＶＯＸモード検定・制御部１９を追加することで、ＶＯＸモードの信号フォーマットを有する上り通信チャネル・スロットから、ＴＣＨモードの信号フォーマットを有する上り通信チャネル・スロットへの変更時期を、常時、ガード時間の情報を復調して検出することなく、第一スロットの前半部を破棄し、ＲＳＳＩと尤度とによる測定でＰＲＥ検出を判断し、更に第１スロットの後半部と第二スロットにより、ＰＲＥを検出したことを決定することで常時ガード時間を復調し、ＰＲＥ測定及び検出処理を行う必要がなくなり、ガード時間を復調することにより検波特性の低下や通話品質への影響を回避できる。
【００２２】
以下、本発明の実施の形態について、図１〜図９を用いて説明する。
【００２３】
図１は本発明の実施の形態における携帯電話用無線基地局の構成を示すブロック図である。図１において、携帯電話用無線基地局１は、無線部２０、変復調部２１、符号化復号化部２２、公衆回線網（ＰＳＴＮ）通信部１３、信号タイミング生成／入出力信号制御部１４、中央制御部１５及びＶＯＸモード検定・制御部１９を備える。この携帯電話用無線基地局１と携帯電話２とは、第１アンテナ３及び第２アンテナ４を通して無線デジタル信号で通信される。また、携帯電話用無線基地局１と電話回線２４とは、信号タイミング生成／入出力信号制御部１４制御下の公衆回線網（ＰＳＴＮ）通信部１３を通して音声アナログ信号で通信される。
【００２４】
無線部２０は、第１アンテナ３及び第２アンテナ４と、第１アンテナ３にアンテナ共用器６を介して接続した送信部（ＴＸ）７及び第１受信部（ＲＸ１）１６と、第２アンテナ４に接続した第２受信部（ＲＸ２）１７とから構成される。また、変復調部２１は、信号タイミング生成／入出力信号制御部１４の制御下で、符号化された音声信号を変調して送信部７送出する変調部８と、信号タイミング生成／入出力信号制御部１４の制御下で、第１及び第２受信部１６、１７で受信したデジタル信号を復調する復調部１８とから構成される。また、符号化復号化部２２は、信号タイミング生成／入出力信号制御部１４により制御されるチャネルコーデック部９、音声コーデック部１０、エコーキャンセラー部１１及びＰＣＭ変換部１２から構成される。
【００２５】
図２は、ＶＯＸモード検定・制御部１９の構成及びＶＯＸモード検定・制御部１９に関連する第１及び第２受信部１６、１７と復調部１８及び信号タイミング生成／入出力信号制御部１４との接続関係を示すブロック図である。
【００２６】
図２において、ＶＯＸモード検定・制御部１９は、第１及び第２受信部１６、１７で受信される受信電界強度（ＲＳＳＩ）信号を受けてＲＳＳＩ値を測定し評価するＲＳＳＩ値測定・評価部３６と、復調部１８で無線デジタル信号から復調されたベースバンドデジタル信号を受信してポストアンブル及びプリアンブルを検定するポストアンブル・プリアンブル検定部３７と、復調部１８で復調された尤度を受信して尤度値を測定し評価する尤度値測定・評価部３８と、ＲＳＳＩ値測定・評価部３６とポストアンブル・プリアンブル検定部３７と尤度値測定・評価部３８との情報のやり取りを行い、かつ信号タイミング生成／入出力信号制御部１４を介して復調部１８に復調期間の調整指示を行うタイミング生成・モード検定設定部３９を備える。
【００２７】
次に、上記のように構成された携帯電話用無線基地局１におけるＶＯＸモード検定・制御部１９のフルレート時の上り受信動作について、図１〜図９を参照して説明する。
【００２８】
携帯電話２から送信される無線デジタル信号は、第１アンテナ３及び第２アンテナ４を通して第１及び第２受信部１６、１７で受信される。受信された無線デジタル信号は第１及び第２受信部１６、１７で所定の帯域処理及び周波数変換処理されて復調部７７に出力される。復調部１８では、２つの無線デジタル信号から、ダイバーシチに代表される手段で１つの無線デジタル信号を選択し、ベースバンド・デジタル信号に復調し、符号化復号化部２２に出力する。更にＶＯＸモード検定・制御部１９のポストアンブル・プリアンブル検定部３７に出力され、ポストアンブル及びプリアンブルを検定する。
【００２９】
上記ベースバンド・デジタル信号は、図４に示すように、ＴＣＨモード時の上り通信用物理チャネルとＶＯＸモード時の上り通信用物理チャネルとの２種類が存在し、携帯電話２が音声を検出した時は、図４のａに示すＴＣＨモード信号フォーマットを有するスロットを受信し、携帯電話２により音声が検出されなかったときは、図４のｂに示すＶＯＸモード信号フォーマットを有するスロットを受信する。
【００３０】
また、第１及び第２受信部１６、１７により検出されたＲＳＳＩ信号は、ＶＯＸモード検定・制御部１９のＲＳＳＩ値測定・評価部３６に出力され、ＲＳＳＩ値の測定及び評価が行われる。
【００３１】
携帯電話２において、図６のａに示す音声が、図６のｂに示す２０ｍｓｅｃタイミングで３以降無音になると、図６のｃに示す符号化処理有音検出の４と５のタイミングで、図９のａとｂに示されるポストアンブル信号ＰＳＴ０のユニークワードが付加されたスロットが無線デジタル信号として連続送信され、携帯電話用無線基地局１で受信される。
【００３２】
受信された無線デジタル信号は、復調部１８によりベースバンド・デジタル信号に復調され、ＶＯＸモード検定・制御部１９のポストアンブル・プリアンブル検定部３７により、任意のスロットが、図９のａとｂに示されるポストアンブル信号ＰＳＴ０のユニークワードの第一スロットと第二スロットとが連続的に受信された時に、信号タイミング生成／入出力信号制御部１４を介して復調部１８に通知される。通知後、復調部１８は、１フレーム後の次のスロットから、図５のａに示すプリアンブルからＲＣＨ／ＳＡＣＣＨまでを復調期間１とし、ＴＣＨモードからＶＯＸモードに変更する。
【００３３】
即ち、ＶＯＸモード検定・制御部１９では、図３に示すように、ＶＯＸモードかを判定し（ステップＳ１）、ＶＯＸモードの場合はステップＳ５に進み、ＶＯＸモードでない場合はステップＳ２に移行して、ＰＳＴ０：第一スロット（特定数以下のビットエラーを許容）を検出したかを判定する。第一スロットを検出した場合は、次のステップＳ３においてＰＳＴ０：第二スロット（特定数以下のビットエラーを許容）を検出したかを判定する。そして、第二スロットを検出した場合は、ステップＳ４においてＴＣＨモードからＶＯＸモードに変更する。
【００３４】
ＶＯＸモードに変更されたスロットは、一フレーム周期毎（２スロット飛び）に図５のａに示すＲＳＳＩ測定期間において、第１及び第２受信部１６、１７で検出されたＲＳＳＩ信号から、ＶＯＸモード検定・制御部１９のＲＳＳＩ値測定・評価部３６でＲＳＳＩ値を測定し、モード変更以前のＲＳＳＩ値と比較し、その比較結果が特定の許容値以上かを判定する（ステップＳ５）。ここで、特定の許容値以上を検出した時は、タイミング生成・モード検定設定部３９により、尤度値測定・評価部３８へ図５のｂに示す尤度測定期間において尤度の測定を指示する。ここでいう尤度は、復調部１８が無線デジタル信号を検波する時に、看破品質を決定する位相情報として生成される信号である。
【００３５】
復調部１８で生成された尤度は、図５のｂに示す尤度測定期間において尤度値測定・評価部３８で測定・評価され、尤度の評価値が特定の許容値以上かを判定する（ステップＳ６）。ここで、許容値以上を検出した時は、タイミング生成・モード検定設定部３９により、尤度値測定・評価部３８へ図５のｂに示す特定の尤度測定期間において尤度を測定し、その尤度の評価値が許容値以上かを判定する（ステップＳ６）。ここで、尤度が許容値以上の場合は、スロット後半が第一スロットのプリアンブルかを検定し、かつプリアンブルのユニークワークを検出したかを判定する（ステップＳ７）。そして、肯定判定された時は、次のステップＳ８において、第二スロットの前半と後半のプリアンブルのユニークワードを検出したいかを判定する。
【００３６】
即ち、尤度の評価値が許容値以上であることが判定され、検波品質が良好であると判断した時は、タイミング生成・モード検定設定部３９により、図５に示す用に、現時点でのスロットを復調期間２に、１フレーム後のスロットを復調期間３に復調期間を延長し、ベースバンドデジタル信号を復調部１８から符号化復号化部２２とＶＯＸモード検定・制御部１９のポストアンブル・プリアンブル検定部３７へ出力することを、タイミング生成・モード検定設定部３９を介し  復調部１８へ指示する。また、ポストアンブル・プリアンブル検定部３７へ信号タイミング生成／入出力信号制御部１４から検定指示を行う。
【００３７】
ポストアンブル・プリアンブル検定部３７では、現時点でのスロットのＰＳＴ０またはＰＲＥの後半部が、図９のｃに示すＰＲＥ第二スロットの前半部と後半部とが特定のビット誤りを許容して一致した場合、復調期間が図５のｄに示す復調期間３となるように、タイミング生成・モード検定設定部３９により、信号タイミング生成／入出力信号制御部１４を介して復調部１８に指示し、併せてＴＣＨモードに変更し設定する（ステップＳ９）。また、他の場合は、図５のａに示す復調期間１に変更することを、タイミング生成・モード検定設定部３９により、信号タイミング生成／入出力信号制御部１４を介して復調部１８に指示する。
【００３８】
以上のような本発明の実施の形態によれば、現行の復調部１８の内部回路を変更せずに、ＰＳＴ０及びＰＲＥのユニークワードを検出するＶＯＸモード検定・制御部１９を追加することで、ＶＯＸモードの信号フォーマットを有する上り通信チャネル・スロットから、ＴＣＨモードの信号フォーマットを有する上り通信チャネル・スロットへの変更時期を、常時、ガード時間の情報を復調して検出することなく、第一スロットの前半部を破棄し、ＲＳＳＩと尤度とによる測定でＰＲＥ検出を判断し、更に第１スロットの後半部と第二スロットにより、ＰＲＥを検出したことを決定することで常時ガード時間を復調し、ＰＲＥ測定及び検出処理を行う必要がなく、ガード時間を復調することにより検波特性の低下や通話品質への影響を回避できる。
【００３９】
【発明の効果】
以上のように本発明によれば、現行の復調部１８の内部回路を変更せずに、ＰＳＴ０及びＰＲＥのユニークワードを検出するＶＯＸモード検定・制御部１９を追加することで、ＶＯＸモードの信号フォーマットを有する上り通信チャネル・スロットから、ＴＣＨモードの信号フォーマットを有する上り通信チャネル・スロットへの変更時期を、常時、ガード時間の情報を復調して検出することなく、第一スロットの前半部を破棄し、ＲＳＳＩと尤度とによる測定でＰＲＥ検出を判断し、更に第１スロットの後半部と第二スロットにより、ＰＲＥを検出したことを決定することで常時ガード時間を復調し、ＰＲＥ測定及び検出処理を行う必要がなくなり、ガード時間を復調することにより検波特性の低下や通話品質への影響を回避でき、ＶＯＸモード信号フォーマットの上り通信チャネル・スロット受信を実現でき、通話品質を向上することができる。
【図面の簡単な説明】
【図１】本発明の実施の形態における携帯電話用無線基地局の構成を示すブロック図
【図２】本発明の実施の形態におけるＶＯＸモード検定・制御部の構成及びＶＯＸモード検定・制御部に関連する第１及び第２受信部と復調部及び信号タイミング生成／入出力信号制御部との接続関係を示すブロック図
【図３】本発明の実施の形態におけるＶＯＸモード検定・制御部の動作を説明するためのフローチャート
【図４】上り通信用物理チャネルの信号フォーマットをビット配分の関係を示す説明図
【図５】ＶＯＸモード時における検定及び測定期間の説明図
【図６】フルレート時のポストアンブル信号の送信タイミングを説明図
【図７】フルレート時のポストアンブル信号の送信タイミングを説明図
【図８】フルレート時のプリアンブル信号の送信タイミングを説明図
【図９】フルレート時のプリアンブル・ポストアンブル信号のユニークワードパターンの一例の図
【図１０】従来における携帯電話用無線基地局の構成を示すブロック図
【図１１】従来のＶＯＸモード時における検定及び測定期間の説明図
【符号の説明】
１  携帯電話用無線基地局
２  携帯電話
３  第１アンテナ
４  第２アンテナ
６  アンテナ共用器
７  送信部
８  変調部
９  チャネルコーデック部
１０  音声コーデック部
１１  エコーキャンセラー部
１２  ＰＣＭ変換部
１３  公衆回線網（ＰＳＴＮ）通信部
１４  信号タイミング生成／入出力信号制御部
１５  中央制御部
１６  第１受信部（ＲＸ１）
１７  第２受信部（ＲＸ２）
１８  復調部
１９  ＶＯＸモード検定・制御部
２０  無線部
２１  変復調部
２２  符号化復号化部
２３  電話回線
３６  ＲＳＳＩ値測定・評価部
３７  ポストアンブル・プリアンブル検定部
３８  尤度値測定・評価部
【図１】
0003791814.tif 000002
【図２】
0003791814.tif 000003
【図３】
0003791814.tif 000004
【図４】
0003791814.tif 000005
【図５】
0003791814.tif 000006
【図６】
0003791814.tif 000007
【図７】
0003791814.tif 000008
【図８】
0003791814.tif 000009
【図９】
0003791814.tif 000010
【図１０】
0003791814.tif 000011
【図１１】
0003791814.tif 000012